【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
電流源と、複数の第１の発光素子と、第２の発光素子と、第１の接続切替手段と、第２の接続切替手段と、電圧発生回路と、コントローラと、を有し、
前記複数の第１の発光素子それぞれの一端は、前記第１の接続切替手段を介して前記電流源と電気的に接続され、
前記複数の第１の発光素子それぞれの一端は、前記第２の接続切替手段を介して前記電圧発生回路の入力端と電気的に接続され、
前記第２の発光素子の一端は、前記電圧発生回路の出力端と電気的に接続され、
前記複数の第１の発光素子それぞれの他端および前記第２の発光素子の他端は、定電位電源と電気的に接続され、
前記コントローラは、前記第１の接続切替手段および前記第２の接続切替手段と電気的に接続され、
前記電圧発生回路は、前記入力端の電位を検出して、前記出力端から同電位を出力し、
前記コントローラは、前記第１の接続切替手段を介して、前記複数の第１の発光素子それぞれを、異なるデューティ比で駆動し、
前記コントローラは、前記第２の接続切替手段を介して前記電圧発生回路と電気的に接続されている一の前記第１の発光素子の累積駆動時間を判定し、前記累積駆動時間に応じて他の前記第１の発光素子へ接続を切り替えることを特徴とする表示装置。
【請求項２】
電流源と、複数の第１の発光素子と、第２の発光素子と、第１の接続切替手段と、第２の接続切替手段と、電圧発生回路と、コントローラと、を有し、
前記複数の第１の発光素子それぞれの一端は、前記第１の接続切替手段を介して前記電流源と電気的に接続され、
前記複数の第１の発光素子それぞれの一端は、前記第２の接続切替手段を介して前記電圧発生回路の入力端と電気的に接続され、
前記第２の発光素子の一端は、前記電圧発生回路の出力端と電気的に接続され、
前記複数の第１の発光素子それぞれの他端および前記第２の発光素子の他端は、定電位電源と電気的に接続され、
前記コントローラは、前記第１の接続切替手段および前記第２の接続切替手段と電気的に接続され、
前記電圧発生回路は、前記入力端の電位を検出して、前記出力端から同電位を出力し、
前記コントローラは、前記第１の接続切替手段を介して、前記複数の第１の発光素子それぞれを、異なるデューティ比で駆動し、
前記コントローラは、前記第２の接続切替手段を介して前記電圧発生回路と電気的に接続されている一の前記第１の発光素子の電圧を判定し、前記電圧に応じて他の前記第１の発光素子へ接続を切り替えることを特徴とする表示装置。
【請求項３】
電流源と、複数の第１の発光素子と、第２の発光素子と、第１の接続切替手段と、第２の接続切替手段と、電圧発生回路と、コントローラと、を有し、
前記複数の第１の発光素子それぞれの一端は、前記第１の接続切替手段を介して前記電流源と電気的に接続され、
前記複数の第１の発光素子それぞれの一端は、前記第２の接続切替手段を介して前記電圧発生回路の入力端と電気的に接続され、
前記第２の発光素子の一端は、前記電圧発生回路の出力端と電気的に接続され、
前記複数の第１の発光素子それぞれの他端および前記第２の発光素子の他端は、定電位電源と電気的に接続され、
前記コントローラは、前記第１の接続切替手段および前記第２の接続切替手段と電気的に接続され、
前記電圧発生回路は、前記入力端の電位を検出して、前記出力端から同電位を出力し、
前記コントローラは、前記第１の接続切替手段を介して、前記複数の第１の発光素子それぞれを、異なるデューティ比で駆動し、
前記コントローラは、前記第２の接続切替手段を介して前記電圧発生回路と電気的に接続されている一の前記第１の発光素子の累積駆動時間および電圧を判定し、前記累積駆動時間および前記電圧に応じて他の前記第１の発光素子へ接続を切り替えることを特徴とする表示装置。
【請求項４】
電流源と、複数の第１の発光素子と、第２の発光素子と、第１の接続切替手段と、第２の接続切替手段と、電圧発生回路と、コントローラと、を有し、
前記複数の第１の発光素子それぞれの一端は、前記第１の接続切替手段を介して前記電流源と電気的に接続され、
前記複数の第１の発光素子それぞれの一端は、前記第２の接続切替手段を介して前記電圧発生回路の入力端と電気的に接続され、
前記第２の発光素子の一端は、前記電圧発生回路の出力端と電気的に接続され、
前記複数の第１の発光素子それぞれの他端および前記第２の発光素子の他端は、定電位電源と電気的に接続され、
前記コントローラは、前記第１の接続切替手段および前記第２の接続切替手段と電気的に接続され、
前記電圧発生回路は、前記入力端の電位を検出して、前記出力端から同電位を出力し、
前記コントローラは、前記第１の接続切替手段を介して、前記複数の第１の発光素子それぞれを、異なるデューティ比で駆動し、
前記コントローラは、前記第２の接続切替手段を介して前記電圧発生回路と電気的に接続されている一の前記第１の発光素子の累積駆動時間を判定し、前記累積駆動時間に応じて他の前記第１の発光素子へ接続を切り替えることを特徴とする表示装置の駆動方法。
【請求項５】
電流源と、複数の第１の発光素子と、第２の発光素子と、第１の接続切替手段と、第２の接続切替手段と、電圧発生回路と、コントローラと、を有し、
前記複数の第１の発光素子それぞれの一端は、前記第１の接続切替手段を介して前記電流源と電気的に接続され、
前記複数の第１の発光素子それぞれの一端は、前記第２の接続切替手段を介して前記電圧発生回路の入力端と電気的に接続され、
前記第２の発光素子の一端は、前記電圧発生回路の出力端と電気的に接続され、
前記複数の第１の発光素子それぞれの他端および前記第２の発光素子の他端は、定電位電源と電気的に接続され、
前記コントローラは、前記第１の接続切替手段および前記第２の接続切替手段と電気的に接続され、
前記電圧発生回路は、前記入力端の電位を検出して、前記出力端から同電位を出力し、
前記コントローラは、前記第１の接続切替手段を介して、前記複数の第１の発光素子それぞれを、異なるデューティ比で駆動し、
前記コントローラは、前記第２の接続切替手段を介して前記電圧発生回路と電気的に接続されている一の前記第１の発光素子の電圧を判定し、前記電圧に応じて他の前記第１の発光素子へ接続を切り替えることを特徴とする表示装置の駆動方法。
【請求項６】
電流源と、複数の第１の発光素子と、第２の発光素子と、第１の接続切替手段と、第２の接続切替手段と、電圧発生回路と、コントローラと、を有し、
前記複数の第１の発光素子それぞれの一端は、前記第１の接続切替手段を介して前記電流源と電気的に接続され、
前記複数の第１の発光素子それぞれの一端は、前記第２の接続切替手段を介して前記電圧発生回路の入力端と電気的に接続され、
前記第２の発光素子の一端は、前記電圧発生回路の出力端と電気的に接続され、
前記複数の第１の発光素子それぞれの他端および前記第２の発光素子の他端は、定電位電源と電気的に接続され、
前記コントローラは、前記第１の接続切替手段および前記第２の接続切替手段と電気的に接続され、
前記電圧発生回路は、前記入力端の電位を検出して、前記出力端から同電位を出力し、
前記コントローラは、前記第１の接続切替手段を介して、前記複数の第１の発光素子それぞれを、異なるデューティ比で駆動し、
前記コントローラは、前記第２の接続切替手段を介して前記電圧発生回路と電気的に接続されている一の前記第１の発光素子の累積駆動時間および電圧を判定し、前記累積駆動時間および前記電圧に応じて他の前記第１の発光素子へ接続を切り替えることを特徴とする表示装置の駆動方法。